(57)【要約】【課題】取付作業を極めて簡易とし、作業能率を向上させることができるとともに、必要最小限の長さとされてなるアンカー部材を提供する。【解決手段】建築物の壁や天井などに埋設されてボルトを保持するアンカー部材Ｋであって、前記アンカー部材Ｋは円筒体形状の本体１を有し、前記本体１は一端部にボルト孔２を有し、他端部に所定長さで形成された所定数の切れ込み４，４，４，４を有し、前記切れ込み４，４，４，４は、該切れ込み４，４，４，４により形成される羽根３，３，３，３の側端に食付刃３ａを形成するようにしてなされてなることを特徴とするものである。【選択図】  図１
2004197422.tif 000002
【特許請求の範囲】
【請求項１】
建築物の壁や天井などに埋設されてボルトを保持するアンカー部材であって、
前記アンカー部材は円筒体形状の本体を有し、
前記本体は一端部にボルト孔を有し、他端部に所定長さで形成された所定数の切れ込みを有し、
前記切れ込みは、該切れ込みにより形成される羽根の側端に食付刃を形成するようにしてなされてなることを特徴とするアンカー部材。
【請求項２】
食付刃は、アンカー部材を壁や天井に埋設させる治具の回転方向の側端に形成されてなることを特徴とする請求項１記載のアンカー部材。
【発明の詳細な説明】
【０００１】
【発明の属する技術分野】
本発明は、アンカー部材に関する。さらに詳しくは、建物の改装や改修時などに壁や天井に埋設されて、配管やダクトなどの各種構造物の取付けに利用されるアンカーナットなどのアンカー部材に関する。
【０００２】
【従来の技術】
従来より、建物の改装や改修時に配管、ダクトなどの各種構造物を建物の壁や天井などに取付けるために、アンカーナットなどのアンカー部材が利用されている。
【０００３】
このようなアンカー部材は、構造物の支持金具を固定するボルトが螺合する雌ねじが形成されたボルト孔を有し、このボルト孔を露出させかつ本体を壁や天井の壁材に埋設するようにして取付けられるものとされる。
【０００４】
そして、このようなアンカー部材は建物の部分的な改装や改修時にも使用されるものであるため、上下左右の室が使用中であるような場合は施工の際に発生する鎚音が苦情の対象となりやすい。このため、騒音の発生を極力抑えるように、打鎚を要することなく埋込み可能とされた、アンカー部材が開発され利用されている。かかるアンカー部材の一例を図３に示す。
【０００５】
図３に示すように、アンカー部材Ｋ´は、概略円筒体形状の全長４ｃｍ程度のピースとされ（同図（ｂ）参照）、ボルトが螺合する雌ねじが形成されたボルト孔１０１が一端面に設けられる（同図（ｃ）参照）とともに、他端側から所定長さ（例えば約１．５ｃｍ）の切れ込みを数本（図示例では４本）入れるようにして（同図（ａ）参照）、所定数（図示例では４）の羽根１０２、１０２…が形成されてなるものとされる。羽根１０２、１０２…は、所定の治具の操作により壁材の内部でプロペラ状に拡がるように構成されている。
【０００６】
このような従来のアンカー部材（以下、従来部材ともいう）Ｋ´は、ドリルなどを用いて壁材に取付用の孔を穿設し、この孔にアンカー部材Ｋ´を嵌装した状態で、ボルト状の治具をボルト孔１０１に螺合させ機械力により治具をねじ込むことによって、本体１０３内部の開羽根部材（不図示である）が先端側に押上げられ、これにより羽根１０２、１０２…が壁材内部でプロペラ状に拡がり、ボルト孔１０１を外部に露出させた状態で壁や天井などに取付けられるものとされる。
【０００７】
ところが、従来部材Ｋ´においては、羽根１０２、１０２…が壁材にくい込み始めるまでは、本体１０３が治具と連れ回りしないようペンチ等で本体１０３を保持する必要があり、施工に手間がかかるといった問題がある。また、ペンチ等で本体１０３を保持するため、余分な長さを必要とするといった問題もある。
【０００８】
【発明が解決しようとする課題】
本発明はかかる従来技術の課題に鑑みなされたものであって、取付作業を極めて簡易とし、作業能率を向上させることができるとともに、必要最小限の長さとされてなるアンカー部材を提供することを目的としている。
【０００９】
【課題を解決するための手段】
本発明のアンカー部材は、建築物の壁や天井などに埋設されてボルトを保持するアンカー部材であって、前記アンカー部材は円筒体形状の本体を有し、前記本体は一端部にボルト孔を有し、他端部に所定長さで形成された所定数の切れ込みを有し、前記切れ込みは、該切れ込みにより形成される羽根の側端に食付刃を形成するようにしてなされてなることを特徴とする。
【００１０】
本発明のアンカー部材においては、食付刃はアンカー部材を壁や天井に埋設させる治具の回転方向の側端に形成されてなるのが好ましい。
【００１１】
【作用】
本発明のアンカー部材は、前記の如く構成されているので、アンカー部材を治具により壁や天井に埋設する際に食付刃が取付孔の内壁に食い込むので、アンカー部材の共回りが防止される。そのため、アンカー部材の取付け作業が極めて簡素化されて作業能率が向上し、コストダウンが図られる。また、アンカー部材の本体にペンチなどの把持部を形成する必要がないので、本体の長さを必要最小限とできる。さらに、打鎚する必要がないので、アンカー部材の取付が静かになし得る。そのため、取付作業時間に制約を受けることがない。
【００１２】
【発明の実施の形態】
以下、添付図面を参照しながら本発明を実施形態に基づいて説明するが、本発明はかかる実施形態のみに限定されるものではない。
【００１３】
図１に本発明の一実施形態に係るアンカー部材Ｋを示す。アンカー部材Ｋは、鋼製とされた全長Ｌ（例えば約３ｃｍ）、外径Ｄ（例えば約１ｃｍ）の概略円筒体形状のピースとされ、本体１の一端面１ａに雌ねじが形成されたボルト孔２を設けるとともに、他端面１ｂ側に所定数（図示例では４）の羽根３，３，…を形成するよう所定長さＬ２（Ｌ２は例えば１．５ｃｍ）の切れ込み４，４，…を設けるようにしてなるものとされる。
【００１４】
アンカー部材Ｋの内径ｄは他端面１ｂから一端面１ａに向って徐々に大きくなるようにされ、本体１の概略中央位置に詰込まれる詳細は図示しない開羽根部材５を、ボルト孔２に螺合されるボルト状の治具１０（例えばボルトの先端部を段状先細に形成してなるもの。図２参照）の段状先細とされた先端部１１により、他端面１ｂ側に向って押圧して前進させることによって、羽根３，３，…（以下羽根３と記する）が拡がるように構成されている。つまり、ボルト孔２は各種構造物を支持するために用いられるボルト孔として機能するとともに、治具１０によりアンカー部材Ｋを壁材に取付ける際の補助具として機能するものとされる。
【００１５】
羽根３は、治具１０を操作するときの回転方向の側端エッジに食付刃３ａが設けられてなるものとされる。換言すれば、羽根３の側端エッジに食付刃３ａを形成するように切れ込み４が加工される。
【００１６】
次に、図２を参照しながら、かかる構成のアンカー部材Ｋを壁材に取付ける取付方法を説明する。
【００１７】
図２に示すように、アンカー部材Ｋを壁材２０の取付孔２１に嵌装し、治具１０をボルト孔２にねじ込むよう操作すると、アンカー部材Ｋは取付孔２１の中で回転しようとする。このとき前掲した従来部材Ｋ´であれば、取っ掛りがなくペンチなどで押えない限り回転するが、アンカー部材Ｋにおいては食付刃３ａが取付孔２１内壁に食い込み、これによりアンカー部材Ｋの回転が阻止される。
【００１８】
この状態でさらに治具１０を操作すると、羽根３が拡がり始める。この操作を羽根３が充分な強度で壁材に食い込むまで継続する。
【００１９】
このように、本発明のアンカー部材Ｋにおいては、羽根３に治具１０を操作するときの回転方向の側端エッジに食付刃３ａが形成されているので、これが取っ掛りとなってペンチなどの特別の補助具を用いることなく、治具１０の操作のみによってアンカー部材Ｋを壁材に充分な強度で取付けることが可能となる。このため、アンカー部材Ｋの取付作業が極めて簡易となり、作業能率を顕著に向上させるとともにコストダウンを図ることが可能となる。また、アンカー部材Ｋの本体１にペンチなどの把持部を形成する必要がないので、本体１の長さを必要最小限とすることができる。さらに、打鎚する必要がないので、アンカー部材の取付が静かになし得る。
【００２０】
【発明の効果】
以上詳述したように、本発明のアンカー部材によれば、アンカー部材を治具により壁や天井に埋設する際に食付刃が取付孔の内壁に食い込むので、アンカー部材の共回りが防止されて、アンカー部材の取付け作業が極めて簡素化されて作業能率が向上するとともにコストダウンが図られるという優れた効果が得られる。また、アンカー部材の本体にペンチなどの把持部を形成する必要がないので、本体の長さを必要最小限とできるという優れた効果も得られる。さらに、打鎚する必要がないので、アンカー部材の取付が静かになし得、取付作業時間に制約を受けるということもないという優れた効果も得られる。
【図面の簡単な説明】
【図１】本発明の一実施形態に係るアンカー部材の構成を示す３面図であって、同（ａ）は上面図を示し、同（ｂ）は側面図を示し、同（ｃ）は底面図を示す。
【図２】同アンカー部材の取付方法を示す断面図である。
【図３】従来のアンカー部材の構成を示す３面図であって、同（ａ）は上面図を示し、同（ｂ）は側面図を示し、同（ｃ）は底面図を示す。
【符号の説明】
Ｋ      アンカー部材
１      本体
２      ボルト孔
３      羽根（壁材係合部）
４      切れ込み
５      開羽根部材
１０      治具
２０      壁材
２１      取付孔
【図１】
2004197422.tif 000003
【図２】
2004197422.tif 000004
【図３】
2004197422.tif 000005